【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
内燃機関のためのピストンであって、
筒状の外面を有する本体を備え、前記外面内に延在する環状の最上リング溝と最下リング溝とを有し、前記外面は、前記最上リング溝と前記最下リング溝との間にいかなるリング溝も有しておらず、トップランドが前記最上リング溝から燃焼ボウルが中に凹んだ上部燃焼面へ延在し、前記本体は、ピンボア軸に沿って互いに並んだピンボアを有する一対のピンボスを有し、前記ピンボスは、前記本体の前記筒状の外面と軸方向に概して並んだ、径方向外方向に反対に向いた面を有し、前記ピストンはさらに、
前記最上リング溝内に配置される第１のピストンリングと、
前記最下リング溝内に配置される第２のピストンリングとを備え、
前記本体は、環状の封止冷却空洞を有し、そこに冷却媒体が配置および封止され、前記封止冷却空洞は、前記第１のピストンリングと第２のピストンリングとの間に延在し、前記ピンボア軸に沿って見る断面、および前記ピンボア軸を概ね交差して見る断面の両方において見て、概ね同じ形状を有し、
前記環状の封止冷却空洞は、前記燃焼ボウルの一部分の直下を径方向内側に延在している、ピストン。
【請求項２】
前記トップランドは、前記外面から径方向内側に凹んでいる、請求項１に記載のピストン。
【請求項３】
前記第１のピストンリングは、概してＬ字形状であり、前記最上リング溝に受けられるように構成される第１の部分と、前記トップランドに沿って前記最上リング溝から上方に延在するように構成される第２の部分とを有する、請求項２に記載のピストン。
【請求項４】
内燃機関のためのピストンであって、
筒状の外面を有する本体を備え、前記外面内に延在する環状の最上リング溝と最下リング溝とを有し、前記外面は、前記最上リング溝と前記最下リング溝との間にいかなるリング溝も有しておらず、トップランドが前記最上リング溝から燃焼ボウルが中に凹んだ上部燃焼面へ延在し、前記本体は、ピンボア軸に沿って互いに並んだピンボアを有する一対のピンボスを有し、前記ピンボスは、前記本体の前記筒状の外面と軸方向に概して並んだ、径方向外方向に反対に向いた面を有し、前記ピストンはさらに、
前記最上リング溝内に配置される第１のピストンリングと、
前記最下リング溝内に配置される第２のピストンリングとを備え、
前記本体は、環状の封止冷却空洞を有し、そこに冷却媒体が配置および封止され、前記封止冷却空洞は、前記第１のピストンリングと前記第２のピストンリングとの間に延在し、
前記最上リング溝は最下面を有し、前記最下リング溝は最上面を有し、前記封止冷却空洞は、最上面と最下面とを有し、前記封止冷却空洞の前記最上面は、前記最上リング溝の前記最下面と実質的に径方向に並び、前記封止冷却空洞の前記最下面は、前記最下リング溝の前記最上面と実質的に径方向に並び、
前記環状の封止冷却空洞は、前記燃焼ボウルの一部分の直下を径方向内側に延在している、ピストン。
【請求項５】
前記最上リング溝は最下面を有し、前記封止冷却空洞は、最上面と最下面とを有し、前記最上面は、前記最上リング溝の前記最下面と実質的に径方向に並び、前記封止冷却空洞の前記最下面は、前記最下リング溝より下を延在する、請求項１に記載のピストン。
【請求項６】
前記最上リング溝と前記最下リング溝との間を延在する前記筒状の外面は軸方向に延びる第１の厚みを有し、前記第２のピストンリングは軸方向に延びる第２の厚みを有し、前記第１の厚みは前記第２の厚みとほぼ同じである、請求項１に記載のピストン。
【請求項７】
内燃機関のためのピストンであって、
筒状の外面を有する本体を備え、環状の最上リング溝と環状の最下リング溝とを有し、トップランドが前記最上リング溝から燃焼ボウルが中に凹んだ上部燃焼面へ延在し、前記本体は、ピンボア軸に沿って互いに並んだピンボアを有する一対のピンボスを有し、前記ピストンはさらに、
前記最上リング溝内に配置される第１のピストンリングと、
前記最下リング溝内に配置される第２のピストンリングとを備え、
前記本体は、環状の封止冷却空洞を有し、そこに冷却媒体が配置および封止され、前記封止冷却空洞は、前記最上リング溝と径方向に並んで延在し、前記最下リング溝より下を延在し、前記ピンボア軸に沿って見る断面、および前記ピンボア軸を概ね交差して見る断面の両方において見て、概ね同じ形状を有し、
前記環状の封止冷却空洞は、前記燃焼ボウルの一部分の直下を径方向内側に延在している、ピストン。
【請求項８】
前記筒状の外面は、前記最上リング溝と前記最下リング溝との間にいかなるリング溝も有していない、請求項７に記載のピストン。
【請求項９】
前記最上リング溝と前記最下リング溝との間を延在する前記筒状の外面は軸方向に延びる第１の厚みを有し、前記第２のピストンリングは軸方向に延びる第２の厚みを有し、前記第１の厚みは前記第２の厚みとほぼ同じである、請求項８に記載のピストン。
【請求項１０】
前記冷却空洞は、前記ピンボア軸に沿って見る断面、および前記ピンボア軸を概ね交差して見る断面の両方において見て、概ね同じ形状を有する、請求項４に記載のピストン。
【請求項１１】
前記ピンボスは、前記本体の前記筒状の外面と軸方向に概して並んだ、径方向外方向に反対に向いた面を有する、請求項７に記載のピストン。
【請求項１２】
内燃機関のためのピストンであって、
筒状の外面を有する本体を備え、前記外面内に延在する環状の最上リング溝と環状の最下リング溝とを有し、前記筒状の外面は、前記最上リング溝と前記最下リング溝との間にいかなるリング溝も有しておらず、トップランドが前記最上リング溝から上部燃焼面へ延在し、前記トップランドは、前記筒状の外面から径方向内側に凹んでおり、前記本体は、ピンボア軸に沿って互いに並んだピンボアを有する一対のピンボスを有し、前記ピストンはさらに、
前記最上リング溝に受けられるように構成される第１の部分と、前記トップランドに沿って前記最上リング溝から上方に延在するように構成される第２の部分とを有する、概してＬ字形状である第１のピストンリングと、
前記最下リング溝内に配置される第２のピストンリングとを備え、
前記上部燃焼面は燃焼ボウルがその中に垂下し、前記燃焼ボウルは環状の最下谷部と上昇した頂部とを有し、前記環状の最下谷部は前記環状の最上リング溝より下を延在し、
前記本体は、環状の封止冷却空洞を有し、そこに冷却媒体が配置および封止され、前記封止冷却空洞は、前記燃焼ボウルの前記環状の最下谷部より上を延在する最上面と、前記環状の最下谷部より下を延在する最下面を有し、
前記環状の封止冷却空洞は、前記燃焼ボウルの一部分の直下を径方向内側に延在している、ピストン。
【請求項１３】
前記環状の封止冷却空洞は、前記ピンボア軸に沿って見る断面、および前記ピンボア軸を概ね交差して見る断面の両方において見て、概ね同じ形状を有する、請求項１２に記載のピストン。
【請求項１４】
前記ピンボスは、前記本体の前記筒状の外面と軸方向に概して並んだ、径方向外方向に反対に向いた面を有する、請求項１２に記載のピストン。
【請求項１５】
前記第１のピストンリングの前記第２の部分は、前記上部燃焼面とほぼ面一関係になるように延在している、請求項１２に記載のピストン。
【請求項１６】
前記第１のピストンリングの前記第２の部分は、シリンダーライナーと摺動係合するように構成されたほぼ真っ直ぐな筒状の外面を有する、請求項１５に記載のピストン。
【請求項１７】
前記燃焼ボウルの前記上昇した頂部は前記上部燃焼面より下にある、請求項１２に記載のピストン。
【請求項１８】
前記最上リング溝は最下面を有し、前記最下リング溝は最上面を有し、前記封止冷却空洞の前記最上面は、前記最上リング溝の前記最下面と実質的に径方向に並び、前記封止冷却空洞の前記最下面は、前記最下リング溝の前記最上面と実質的に径方向に並んでいる、請求項１２に記載のピストン。